(57)【特許請求の範囲】
【請求項１】
情報処理装置からネットワークを介して受信した画像データに基づいて記録媒体に画像を形成する画像形成手段と、
前記画像形成手段で画像が形成された記録媒体を所定位置に供給する供給手段と、
前記供給手段により前記記録媒体を前記所定位置に供給できない障害の発生を検出する障害検出手段と、
前記障害検出手段で障害の発生を検出した場合、前記ネットワークに接続される他の画像形成装置に前記画像データを送信する送信手段と、
を有し、
前記画像形成手段により前記画像データが形成される前記記録媒体は、製本物の本体部分への使用が指定された第１の記録媒体および前記本体部分に結合される結合部分への使用が指定され前記第１の記録媒体とは異なる種類の第２の記録媒体であり、
前記供給手段により前記第２の記録媒体が供給される前記所定位置は、当該画像形成装置と連結され前記製本物を生産する製本処理を行う製本装置であり、
前記送信手段は、前記障害検出手段で前記第２の記録媒体を前記製本装置の所定位置に供給できない障害の発生を検出した場合、前記第２の記録媒体に形成する画像の画像データを送信し、
前記他の画像形成装置で画像が形成された前記第２の記録媒体が前記製本装置の所定位置に接続される媒体収容部に収容された場合に、前記製本装置に対して製本処理の再開を指示する再開指示手段、
を更に有することを特徴とする画像形成装置。
【請求項２】
情報処理装置からネットワークを介して受信した画像データに基づいて記録媒体に画像を形成する画像形成手段と、
前記画像形成手段で画像が形成された記録媒体を所定位置に供給する供給手段と、
前記供給手段により前記記録媒体を前記所定位置に供給できない障害の発生を検出する障害検出手段と、
前記障害検出手段で障害の発生を検出した場合、前記ネットワークに接続される他の画像形成装置に前記画像データを送信すべく障害の発生を前記情報処理装置に通知する障害通知手段と、
を有し、
前記画像形成手段により前記画像データが形成される前記記録媒体は、製本物の本体部分への使用が指定された第１の記録媒体および前記本体部分に結合される結合部分への使用が指定され前記第１の記録媒体とは異なる種類の第２の記録媒体であり、
前記供給手段により前記第２の記録媒体が供給される前記所定位置は、当該画像形成装置と連結され前記製本物を生産する製本処理を行う製本装置であり、
前記障害通知手段は、前記障害検出手段で前記第２の記録媒体を前記製本装置の所定位置に供給できない障害の発生を検出した場合、当該障害の発生を前記情報処理装置に通知し、
前記他の画像形成装置で画像が形成された前記第２の記録媒体が前記製本装置の所定位置に接続される媒体収容部に収容された場合に、前記製本装置に対して製本処理の再開を指示する再開指示手段、
を更に有することを特徴とする画像形成装置。
【請求項３】
前記障害検出手段は、前記第２の記録媒体のジャムまたは媒体切れにより前記第２の記録媒体を前記製本装置の所定位置に供給できない障害の発生を検知することを特徴とする請求項１または２に記載の画像形成装置。
【請求項４】
情報処理装置と、
請求項１に記載の画像形成装置と、
前記画像形成装置からネットワークを介して受信した前記第２の記録媒体に形成する画像の画像データに基づいて前記第２の記録媒体に画像を形成する他の画像形成装置と、
を有することを特徴とする画像形成システム。
【請求項５】
情報処理装置と、
請求項２に記載の画像形成装置と、
前記情報処理装置からネットワークを介して受信した前記第２の記録媒体に形成する画像の画像データに基づいて前記第２の記録媒体に画像を形成する他の画像形成装置と、
を有することを特徴とする画像形成システム。
【請求項６】
情報処理装置と、前記情報処理装置とネットワークを介して接続される複数の画像形成装置と、を備えた画像形成システムで実行される画像形成方法であって、
前記情報処理装置が、前記ネットワークを介して画像データを第１の画像形成装置に送信する第１の送信ステップと、
前記第１の画像形成装置が、前記第１の送信ステップで送信された画像データを受信する第１の受信ステップと、
前記第１の画像形成装置が、前記第１の受信ステップで受信した画像データに基づいて記録媒体に画像を形成する第１の画像形成ステップと、
前記第１の画像形成装置が、前記第１の画像形成ステップで画像が形成された記録媒体を所定位置に供給する供給ステップと、
前記第１の画像形成装置が、前記供給ステップにより前記記録媒体を前記所定位置に供給できない障害の発生を検出する障害検出ステップと、
前記第１の画像形成装置が、前記障害検出ステップで障害の発生を検出した場合、前記ネットワークに接続される第２の画像形成装置に前記画像データを送信する第２の送信ステップと、
前記第２の画像形成装置が、前記第２の送信ステップで送信された画像データを受信する第２の受信ステップと、
前記第２の画像形成装置が、前記第２の受信ステップで受信した画像データに基づいて記録媒体に画像を形成する第２の画像形成ステップと、
を含み、
前記第１の画像形成ステップは、製本物の本体部分への使用が指定された第１の記録媒体および前記本体部分に結合される結合部分への使用が指定され前記第１の記録媒体とは異なる種類の第２の記録媒体に画像を形成し、
前記供給ステップは、前記第１の画像形成ステップで画像が形成された前記第２の記録媒体を、前記第１の画像形成装置と連結され前記製本物を生産する製本処理を行う製本装置の所定位置に供給し、
前記第２の送信ステップは、前記障害検出ステップで前記第２の記録媒体を前記所定位置に供給できない障害の発生を検出した場合に、前記第２の記録媒体に形成する画像の画像データを前記第２の画像形成装置に送信し、
前記第１の画像形成装置が、前記第２の画像形成装置で画像が形成された前記第２の記録媒体が前記製本装置の所定位置に接続される媒体収容部に収容された場合に、前記製本装置に対して製本処理の再開を指示する再開指示ステップ、
を更に含むことを特徴とする画像形成方法。
【請求項７】
情報処理装置と、前記情報処理装置とネットワークを介して接続される複数の画像形成装置と、を備えた画像形成システムで実行される画像形成方法であって、
前記情報処理装置が、前記ネットワークを介して画像データを第１の画像形成装置に送信する第１の送信ステップと、
前記情報処理装置が、前記第１の画像形成装置から障害発生の通知を受けた場合、第２の画像形成装置に記録媒体に形成する画像の画像データを送信する第２の送信ステップと、
前記第１の画像形成装置が、前記第１の送信ステップで送信された画像データを受信する第１の受信ステップと、
前記第１の画像形成装置が、前記第１の受信ステップで受信した画像データに基づいて記録媒体に画像を形成する第１の画像形成ステップと、
前記第１の画像形成装置が、前記第１の画像形成ステップで画像が形成された記録媒体を所定位置に供給する供給ステップと、
前記第１の画像形成装置が、前記供給ステップにより前記記録媒体を前記所定位置に供給できない障害の発生を検出する障害検出ステップと、
前記第１の画像形成装置が、前記障害検出ステップで前記障害の発生が検出された場合、前記情報処理装置に前記障害の発生を通知する障害通知ステップと、
前記第２の画像形成装置が、前記第２の送信ステップで送信された画像データを受信する第２の受信ステップと、
前記第２の画像形成装置が、前記第２の受信ステップで受信した画像データに基づいて記録媒体に画像を形成する第２の画像形成ステップと、
を含み、
前記第１の画像形成ステップは、製本物の本体部分への使用が指定された第１の記録媒体および前記本体部分に結合される結合部分への使用が指定され前記第１の記録媒体とは異なる種類の第２の記録媒体に画像を形成し、
前記供給ステップは、前記第１の画像形成ステップで画像が形成された前記第２の記録媒体を、前記第１の画像形成装置と連結され前記製本物を生産する製本処理を行う製本装置の所定位置に供給し、
前記障害通知ステップは、前記障害検出ステップで前記第２の記録媒体を前記所定位置に供給できない障害の発生を検出した場合に、当該障害の発生を前記情報処理装置に通知し、
前記第１の画像形成装置が、前記第２の画像形成装置で画像が形成された前記第２の記録媒体が前記製本装置の所定位置に接続される媒体収容部に収容された場合に、前記製本装置に対して製本処理の再開を指示する再開指示ステップ、
を更に含むことを特徴とする画像形成方法。
【発明の詳細な説明】
【技術分野】
【０００１】
本発明は、画像形成装置、画像形成システムおよび画像形成方法に関する。
【背景技術】
【０００２】
従来、記録用紙に画像を形成する画像形成装置と、この画像形成装置と連結され、画像形成装置から供給された画像形成済みの複数の記録用紙からなる記録用紙束（本体部分）に、表紙部分となる記録用紙を接合するなどの製本処理を行うことにより、冊子状の製本物を生産する製本装置と、を備える製本システムが知られている。
【０００３】
ところで、この種の製本システムでは、本体部分に使用する記録用紙は、画像形成装置に大量にストックされるものの、表紙部分に使用する記録用紙は、本体部分に使用する記録用紙に比べ、サイズが大きいや高価な材料で形成されているなどの理由から、本体部分に使用する記録用紙に比べ少量しか画像形成装置にストックされないのが一般的である。
【０００４】
このため、この種の製本システムにあっては、本体部分に使用する記録用紙に比べ、表紙部分に使用する記録用紙のジャム（紙詰まり）が発生し易く、表紙部分に使用する記録用紙の紙切れが発生し易いものであり、前記発生の都度、製本処理が一時停止されてしまい、その結果、ユーザによりジャム解消作業や記録用紙の補給作業が行われてから製本処理が再開されるようになっているため、製本処理のダウンタイムが長く、製本物の生産性が低下するという問題点があった。
【０００５】
このため、従来では、前記問題点を解消するため、ユーザにより表紙部分として指定された記録用紙が紙切れした場合や、表紙部分として処理される記録用紙のジャムが発生した場合に、予めユーザにより設定された設定情報に基づいて指定される代替トレイに収納されている記録用紙を代替する記録用紙（代替用紙）とし、その代替用紙を、本体部分となる記録用紙束に接合するなどの製本処理を行うための所定位置に供給することで、製本処理を一時停止させることなく、製本処理を継続させるようにした製本システム（特許文献１参照）が知られている。
【発明の概要】
【発明が解決しようとする課題】
【０００６】
しかしながら、前記した特許文献１の技術にあっては、ユーザにより表紙部分として指定された記録用紙が紙切れし、且つ、代替する記録用紙が紙切れした場合や、代替する記録用紙を、前記所定位置に供給できない場合などでは、製本処理を継続して行うことができず、結局、製本処理が一時停止され、ユーザによりジャム解消作業や記録用紙の補給作業が行われた後に製本処理を再開するしか方法がないため、製本処理のダウンタイムが長くなり、製本物の生産性が低下してしまうという課題が残存するものである。
【０００７】
特に、特許文献１の技術にあっては、代替する記録用紙を、一台の装置という狭い範囲内で検索していることと、表紙部分として指定される記録用紙の紙切れと同様の割合で、代替する記録用紙の紙切れが発生する可能性が高いということから、代替する記録用紙を検索できず、製本処理を一時停止させてしまう可能性が高いものである。
【０００８】
そこで、本発明は、前記従来の課題を解決するものであり、製本物の生産性が低下するのを抑制または防止することが可能な画像形成装置、画像形成システムおよび画像形成方法を提供することを目的とする。
【課題を解決するための手段】
【０００９】
前記した課題を解決し、目的を達成するために、本発明の画像形成装置は、情報処理装置からネットワークを介して受信した画像データに基づいて記録媒体に画像を形成する画像形成手段と、前記画像形成手段で画像が形成された記録媒体を所定位置に供給する供給手段と、前記供給手段により前記記録媒体を前記所定位置に供給できない障害の発生を検出する障害検出手段と、前記障害検出手段で障害の発生を検出した場合、前記ネットワークに接続される他の画像形成装置に前記画像データを送信する送信手段と、有し、前記画像形成手段により前記画像データが形成される前記記録媒体は、製本物の本体部分への使用が指定された第１の記録媒体および前記本体部分に結合される結合部分への使用が指定され前記第１の記録媒体とは異なる種類の第２の記録媒体であり、前記供給手段により前記第２の記録媒体が供給される前記所定位置は、当該画像形成装置と連結され前記製本物を生産する製本処理を行う製本装置であり、前記送信手段は、前記障害検出手段で前記第２の記録媒体を前記製本装置の所定位置に供給できない障害の発生を検出した場合、前記第２の記録媒体に形成する画像の画像データを送信し、前記他の画像形成装置で画像が形成された前記第２の記録媒体が前記製本装置の所定位置に接続される媒体収容部に収容された場合に、前記製本装置に対して製本処理の再開を指示する再開指示手段、を更に有する。
【００１０】
また、本発明の画像形成装置は、情報処理装置からネットワークを介して受信した画像データに基づいて記録媒体に画像を形成する画像形成手段と、前記画像形成手段で画像が形成された記録媒体を所定位置に供給する供給手段と、前記供給手段により前記記録媒体を前記所定位置に供給できない障害の発生を検出する障害検出手段と、前記障害検出手段で障害の発生を検出した場合、前記ネットワークに接続される他の画像形成装置に前記画像データを送信すべく障害の発生を前記情報処理装置に通知する障害通知手段と、有し、前記画像形成手段により前記画像データが形成される前記記録媒体は、製本物の本体部分への使用が指定された第１の記録媒体および前記本体部分に結合される結合部分への使用が指定され前記第１の記録媒体とは異なる種類の第２の記録媒体であり、前記供給手段により前記第２の記録媒体が供給される前記所定位置は、当該画像形成装置と連結され前記製本物を生産する製本処理を行う製本装置であり、前記障害通知手段は、前記障害検出手段で前記第２の記録媒体を前記製本装置の所定位置に供給できない障害の発生を検出した場合、当該障害の発生を前記情報処理装置に通知し、前記他の画像形成装置で画像が形成された前記第２の記録媒体が前記製本装置の所定位置に接続される媒体収容部に収容された場合に、前記製本装置に対して製本処理の再開を指示する再開指示手段、を更に有する。
【発明の効果】
【００１１】
本発明によれば、製本物の生産性が低下するのを抑制または防止することができる。
【図面の簡単な説明】
【００１２】
【図１】図１は、本実施形態に係わる製本システムの概略構成を示す概要図である。
【図２】図２は、クライアント端末のハードウェア構成を示すブロック図である。
【図３】図３は、トレイ一覧表示画面の一構成例を示す図である。
【図４】図４は、表紙セット促し画面の一構成例を示す図である。
【図５】図５は、画像形成装置のハードウェア構成を示すブロック図である。
【図６】図６は、エラー表示画面の一構成例を示す図である。
【図７】図７は、表紙セット促し画面の一構成例を示す図である。
【図８】図８は、製本装置のハードウェア構成を示すブロック図である。
【図９】図９は、クライアント端末の機能的構成を示すブロック図である。
【図１０】図１０は、親機である画像形成装置の機能的構成を示すブロック図である。
【図１１】図１１は、製本装置の機能的構成を示すブロック図である。
【図１２】図１２は、子機である画像形成装置の機能的構成を示すブロック図である。
【図１３】図１３は、クライアント端末から画像形成装置に製本データが送信された場合の、製本システムにおける概略的な処理の流れを示すシーケンス図である。
【図１４】図１４は、クライアント端末の製本指示処理部で実行される処理手順を示すフローチャートである。
【図１５】図１５は、画像形成装置の印刷処理部で実行される処理手順を示すフローチャートである。
【図１６】図１６は、画像形成装置の印刷処理部で実行される処理手順を示すフローチャートである。
【図１７】図１７は、製本装置の製本処理部で実行される処理手順を示すフローチャートである。
【図１８】図１８は、表紙の代理印刷を行う画像形成装置の代理印刷処理部で実行される処理手順を示すフローチャートである。
【図１９】図１９は、図９に示すクライアント端末の機能的構成の変形形態を示すブロック図である。
【図２０】図２０は、図１３に示すシーケンスの変形形態を示すシーケンス図である。
【図２１】図２１は、図１４に示すフローチャートの変形形態を示すフローチャートである。
【発明を実施するための形態】
【００１３】
以下、本発明の実施形態について添付図面を参照して説明する。
【００１４】
図１は、本実施形態に係わる製本システム１の概略構成を説明するための概要図である。
【００１５】
図１に示すように、この製本システム１は、クライアント端末２と、親機である画像形成装置３と、製本装置４と、子機である複数の画像形成装置５Ａ〜５Ｍ（以下、特定しない画像形成装置を単に画像形成装置５と称する。）とを備えている。
【００１６】
なお、クライアント端末２と、画像形成装置３と、複数の画像形成装置５とは、ＬＡＮ（Ｌｏｃａｌ  Ａｒｅａ  Ｎｅｔｗｏｒｋ）などのネットワークＮで通信可能に接続されている。
【００１７】
ここで、クライアント端末２は、製本データを画像形成装置３に送信して、画像形成装置３および製本装置４に製本に係る処理を行わせる情報処理装置である。
【００１８】
なお、ここでいう製本データとは、製本物の表紙部分と本体部分（表紙部分でくるまれる部分）に使用する記録用紙（記録媒体）を指定する種別情報（サイズ、秤量、材質などを示す情報）などを含むジョブ情報と、表紙部分に使用する記録用紙に印刷する画像（文字や図形など）の画像データ（以下、単に「表紙データ」という場合がある。）と、本体部分に使用する記録用紙に印刷する画像の画像データ（以下、単に「本体データ」という場合がある。）などから構成されている。
【００１９】
画像形成装置３は、製本装置４に連結され、クライアント端末２から受信した製本データに基づいて記録用紙に画像を印刷する印刷装置であり、具体的には、製本データのジョブ情報に基づき、本体部分への使用が指定された記録用紙（第１の記録媒体）を収容する用紙トレイ（用紙収容部）（不図示）、および、表紙部分への使用が指定された記録用紙（第２の記録媒体）を収容する用紙トレイ（用紙収容部）３１にそれぞれ収容されている第１の記録媒体および第２の記録媒体に画像を印刷する印刷装置である。
【００２０】
即ち、画像形成装置３は、受信した製本データに含まれるジョブ情報を解析することにより、表紙部分に使用する記録用紙を特定し、その記録用紙に、表紙データで示される画像を印刷するとともに、本体部分に使用する記録用紙（少なくとも本体部分に使用する記録用紙の２倍以上の大きさの記録用紙）を特定し、その記録用紙に、本体データで示される画像を印刷する。
【００２１】
製本装置４は、画像形成装置３と連結され、画像形成装置３から、本体部分の画像が印刷された複数の記録用紙が供給され、供給された複数の記録用紙を束状に集積し、集積した記録用紙束（記録媒体束）（即ち、本体部分）に、糊付けなどの処理により表紙部分となる記録用紙を接合するなどの製本処理を行うことにより、冊子状の製本物を生産する装置である。
【００２２】
画像形成装置５は、画像形成装置３とは異なり、製本装置４とは連結されておらず、製本装置４と離れた箇所などに設置され、ネットワークＮを介して受信した画像データに基づいて記録用紙に画像を印刷する印刷装置である。
【００２３】
図２は、クライアント端末２のハードウェア構成を説明するためのブロック図である。
【００２４】
図２に示すように、クライアント端末２は、一般的なコンピュータを利用したハードウェア構成となっており、例えば、ＣＰＵ（Ｃｅｎｔｒａｌ  Ｐｒｏｃｅｓｓｉｎｇ  Ｕｎｉｔ）２０と、このＣＰＵ２０とバスラインＢＬ１を介して接続されるＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、ＨＤＤ（Ｈａｒｄ  Ｄｉｓｋ  Ｄｒｉｖｅ：ハードディスク装置）２３、記憶媒体処理部２４および通信インタフェース部２５と、それらに電力を供給する電力供給部２９とを備えている。
【００２５】
ここで、ＣＰＵ２０は、コンピュータ全体の制御、即ち、各種演算や各構成要素部に対する各種処理を制御する。ＲＯＭ２１またはＨＤＤ２３は、コンピュータにおける各種処理を実行するための処理プログラムなどの各種ファイルを記憶する。ＲＡＭ２２は、入力データや表示データなどの作業中のデータを一時的に記憶したり、コンピュータの起動時にＲＯＭ２１またはＨＤＤ２３から読み出された処理プログラムなどの各種ファイルを一時的に記憶する。
【００２６】
なお、ＨＤＤ２３には、後述の図９に示す機能的構成を実現するための処理プログラムＰ１などが記憶されている。
【００２７】
記憶媒体処理部２４は、ＣＤ−ＲＷ（Ｃｏｍｐａｃｔ  Ｄｉｓｃ−Ｒｅｗｒｉｔａｂｌｅ）やＤＶＤ−ＲＷ（Ｄｉｇｉｔａｌ  Ｖｅｒｓａｔｉｌｅ  Ｄｉｓｃ−Ｒｅｗｒｉｔａｂｌｅ）などの外部記憶媒体に対する読み書き処理を行う。
【００２８】
通信インタフェース部２５は、通信インタフェース回路（不図示）を有し、ネットワークＮを介して接続される画像形成装置３や画像形成装置５などの他の機器との間で製本データなどの各種データの送受信を行う。
【００２９】
入力部２６は、各種機能キーを含むキーボードやマウスなどを有し、それらキーボードおよびマウスからの操作信号を入力処理する。
【００３０】
表示部２７は、ディスプレイなどを有し、そのディスプレイに、ＣＰＵ２０がプログラムに従うことによりトレイ一覧表示画面Ｓ１（図３参照）や表紙セット促し画面Ｓ２（図４参照）などの各種表示画面を表示する。
【００３１】
図３は、トレイ一覧表示画面Ｓ１の一構成例を説明するための図である。
【００３２】
図３に示すように、このトレイ一覧表示画面Ｓ１は、親機である画像形成装置３において製本装置４の所定位置Ｐに表紙部分となる記録用紙を供給できない障害が発生した場合に、後述の検索処理の結果に基づいて表示部２７に表示される画面であり、ユーザが表紙部分の代理印刷を行う画像形成装置５を選択するための画面である。
【００３３】
なお、ここでいう所定位置Pとは、製本装置４が、製本物の本体部分となる記録用紙束に、前記製本物の表紙部分となる記録用紙を接合するなどの製本処理を行うことが可能な位置のことである。
【００３４】
また、このトレイ一覧表示画面Ｓ１では、ユーザは、入力部２６のマウスやキーボードを用いて、カーソルを所望の画像形成装置に合わせ、選択確定ボタンアイコンを選択することにより、カーソルが指す画像形成装置（画像形成装置５Ａまたは画像形成装置５Ｍなど）を、画像形成装置３の代わりに表紙部分を代理印刷する画像形成装置として指定することができるようになっている。
【００３５】
更に、このトレイ一覧表示画面Ｓ１では、ユーザが、キャンセルボタンアイコンを選択することにより、表紙部分の代理印刷を行う画像形成装置５の指定を行わないことも可能となっている。
【００３６】
なお、図３の例では、子機である複数の画像形成装置５Ａ、・・・、画像形成装置５Ｍのうち、画像形成装置５Ａおよび画像形成装置５Ｍが、画像形成装置３の代わりに表紙部分の代理印刷を行うことが可能な画像形成装置であり、且つ、ユーザが表紙部分に使用を所望する記録用紙、即ち、ジョブ情報に含まれる表紙部分に使用する記録用紙の種別に一致する種別の記録用紙を収納する用紙トレイ５１を有する画像形成装置であることを示している。
【００３７】
また、図３の例では、画像形成装置５を識別する情報として、名称としての「画像形成装置５Ａ」や「画像形成装置５Ｍ」を表示する場合を示しているが、これに限定されず、どの画像形成装置５であるかをユーザが認識できれば良く、型番や設置箇所などを表示するように構成することも可能である。
【００３８】
図４は、表紙セット促し画面Ｓ２の一構成例を説明するための図である。
【００３９】
図４に示すように、この表紙セット促し画面Ｓ２は、図３のトレイ一覧表示画面Ｓ１において、表紙部分を代理印刷する画像形成装置として選択指定された画像形成装置５が、表紙部分の印刷を終了した場合に、表示部２７で表示される画面であり、ユーザに対して画像形成装置５で印刷された表紙部分となる記録用紙を製本装置４にセットすることを促すための画面である。
【００４０】
なお、この表紙セット促し画面Ｓ２では、「製本装置の手差しトレイに表紙をセットして下さい。」などの文字情報を表示することにより、ユーザに対して表紙部分となる記録用紙を製本装置４にセットすることを促すようになっている。
【００４１】
また、この表紙セット促し画面Ｓ２では、ユーザが、閉じるボタンアイコンを選択することにより、この表紙セット促し画面Ｓ２を閉じることが可能となっているが、これ以外にも、例えば、表示を開始してから一定時間経過した後に自動的に閉じたり、製本装置４で該当する製本処理が再開された場合に自動的に閉じるように構成することも可能である。
【００４２】
図２に戻って、スピーカ部２８は、スピーカなどを有し、そのスピーカを用いて警告音や予め登録されている音声などを出力処理する。
【００４３】
電力供給部２９は、コンセントなどの商用電源にプラグなどの差込み器具が接続されることで、商用電源からの電圧を各負荷部に必要な電力に変換して供給する。
【００４４】
図５は、画像形成装置３のハードウェア構成を説明するためのブロック図である。
【００４５】
図５に示すように、画像形成装置３は、一般的に良く知られている印刷装置のハードウェア構成となっており、例えば、制御部３１と、この制御部３１とバスラインＢＬ２を介して接続される操作表示部３２、第１の通信インタフェース部３３、第２の通信インタフェース部３４およびエンジン部３５と、それらに電力を供給する電力供給部３６とを備えている。
【００４６】
ここで、制御部３１は、ＣＰＵ、ＲＯＭ、ＲＡＭ、ハードディスク装置（ＨＤＤ）などを有し、この画像形成装置３全体を制御するコンピュータである。
【００４７】
なお、ＣＰＵは、各種演算や各構成要素部に対する各種処理を制御し、ＲＯＭは、画像形成装置３における各種処理を実行するための処理プログラムなどの各種ファイルを記憶し、ＲＡＭは、作業中のデータを一時的に記憶したり、画像形成装置３の起動時などにＲＯＭやＨＤＤから読み出された処理プログラムなどを一時的に記憶したりする。
【００４８】
なお、ＲＯＭには、後述の図１０に示す機能的構成を実現するための処理プログラムＰ２などが記憶されている。
【００４９】
操作表示部３２は、タッチパネル式の表示部などで構成される操作パネルであり、表示部には、制御部３１のＣＰＵがプログラムに従うことによりエラー表示画面Ｓ３（図６参照）や、表紙セット促し／再開指示画面Ｓ４（図７参照）などの各種表示画面を表示する。
【００５０】
図６は、エラー表示画面Ｓ３の一構成例を説明するための図である。
【００５１】
図６に示すように、このエラー表示画面Ｓ３は、画像形成装置３において製本装置４の所定位置Ｐに表紙部分を供給できないジャムなどの障害が発生した場合に、操作表示部３２に表示される画面であり、ユーザに対して画像形成装置３で表紙部分の印刷ができないことを通知するための画面である。
【００５２】
なお、このエラー表示画面Ｓ３では、「エラーが発生しました。ジャムにより、表紙の印刷ができません。」などの文字情報を表示することにより、ユーザに対して表紙部分の印刷ができないことを通知するようになっている。
【００５３】
図７は、表紙セット促し画面Ｓ４の一構成例を説明するための図である。
【００５４】
図７に示すように、この表紙セット促し／再開指示画面Ｓ４は、図３のトレイ一覧表示画面Ｓ１で選択された画像形成装置５において表紙部分の印刷が終了した場合に、操作表示部３２で表示される画面であり、ユーザに対して表紙部分となる記録用紙を製本装置４にセットすることを促すとともに、製本装置４に対する製本処理の再開を指示することを促すための画面である。
【００５５】
なお、この表紙セット促し／再開指示画面Ｓ４では、表紙セット促し画面Ｓ２（図４参照）と同様に、「製本装置の手差しトレイに表紙をセットして下さい。」という文字情報を表示することにより、ユーザに対して表紙部分となる記録用紙を製本装置４にセットすることを促すとともに、「表紙給紙ボタンアイコン」と、「セットが終了しましたら、をタッチして下さい。」という文字情報とを表示することにより、ユーザに対して「表紙給紙ボタンアイコン」のタッチ操作を促すようになっている。
【００５６】
図５に戻って、第１の通信インタフェース部３３は、通信インタフェース回路（不図示）を有し、ネットワークＮを介して接続されるクライアント端末２や画像形成装置５などの他の機器との間で、製本データや表紙データなどの各種データの送受信を行う。
【００５７】
第２の通信インタフェース部３４は、通信インタフェース回路（不図示）を有し、シリアル信号線（不図示）を介して接続される製本装置４との間で、製本指示信号や製本再開信号などの各種データの送受信を行う。
【００５８】
エンジン部３５は、プリンタユニット３５１などを有している。このプリンタユニット３５１は、第１の通信インタフェース部３３を介してクライアント端末２から受信した印刷データに基づき、記録用紙に画像を印刷するプリンタ機能を実現するためのユニットである。
【００５９】
なお、本実施形態では、エンジン部３５は、プリンタユニット３５１のみを有する場合について説明したが、これ以外にも、例えば、スキャナ機能を実現するためのスキャナユニットや、ファクシミリ通信機能を実現するためのファクシミリユニットなどを有する形態とすることも可能である。なお、前記した各種機能ユニットは、一般的に良く知られている周知のハードウェア構成を有している。
【００６０】
電力供給部３６は、コンセントなどの商用電源にプラグなどの差込み器具が接続されることで、商用電源からの電圧を各負荷部に必要な電力に変換して供給する。
【００６１】
なお、画像形成装置５のハードウェア構成は、図５に示す画像形成装置３と略同様の構成であるため、ここでは説明を省略する。
【００６２】
図８は、製本装置４のハードウェア構成を説明するためのブロック図である。
【００６３】
図８に示すように、製本装置４は、一般的に良く知られている製本装置のハードウェア構成となっており、例えば、制御部４１と、この制御部４１とバスラインＢＬ３を介して接続される通信インタフェース部４２およびエンジン部４３と、それらに電力を供給する電力供給部４４とを備えている。
【００６４】
ここで、制御部４１は、ＣＰＵ、ＲＯＭ、ＲＡＭ、ハードディスク装置（ＨＤＤ）などを有し、この製本装置４全体を制御するコンピュータである。
【００６５】
なお、ＣＰＵは、各種演算や各構成要素部に対する各種処理を制御し、ＲＯＭは、製本装置４における各種処理を実行するための処理プログラムなどの各種ファイルを記憶し、ＲＡＭは、作業中のデータを一時的に記憶したり、製本装置４の起動時などにＲＯＭやＨＤＤから読み出された処理プログラムなどを一時的に記憶したりする。
【００６６】
なお、ＲＯＭには、後述の図１１に示す機能的構成を実現するための処理プログラムＰ３などが記憶されている。
【００６７】
通信インタフェース部４２は、通信インタフェース回路（不図示）を有し、シリアル信号線（不図示）を介して接続される画像形成装置３などの他の機器との間で製本指示信号や製本再開信号などの各種データの送受信を行う。
【００６８】
エンジン部４３は、製本ユニット４３１などを有している。
【００６９】
この製本ユニット４３１は、通信インタフェース部４２を介して画像形成装置３から製本指示信号または製本再開信号を受信した場合に、画像形成装置３から、本体部分の画像が印刷された複数の記録用紙が供給され、供給された複数の記録用紙を束状に集積し、集積した記録用紙束（本体部分）に、糊付けなどの処理により表紙部分となる記録用紙を接合するなどの製本処理を行うことにより、冊子状の製本物を生産する製本機能を実現するためのユニットである。
【００７０】
なお、本実施形態の製本装置４は、所定位置P（図１参照）に表紙部分となる記録用紙を供給する方法として、画像形成装置３から搬送ローラなどの所定の供給手段（不図示）を介して所定位置Pに供給する方法と、ユーザによって手差しトレイ４１（図１参照）にセットされた表紙部分となる記録用紙を、手差しトレイ４１と接続される所定位置Pに供給する方法とを採用している。
【００７１】
また、製本ユニット４３１は、製本処理に必要な各種機構部として、例えば、クランプ部、糊塗布部、断裁部、角背成形部、冊子搬送部および冊子収納部（いずれも不図示）などを有している。
【００７２】
ここで、クランプ部は、画像形成装置３から供給された複数の記録用紙（本体部分）を束状に集積し、一冊分の枚数に達した場合に、クランプ（固める）処理を実行するものである。
【００７３】
糊塗布部は、クランプ部でクランプ処理された記録用紙束の所定部分に糊を塗布するものである。
【００７４】
断裁部は、所定位置に供給された表紙部分となる記録用紙を、冊子の表紙として最適なサイズに断裁するものである。
【００７５】
角背成形部は、糊塗布部で糊が塗布された記録用紙束の所定部分に表紙部分となる記録用紙を貼り付けるものである。
【００７６】
冊子搬送部は、完成した冊子を、所定の搬送経路（不図示）を介して冊子収納部に排出するものである。
【００７７】
冊子収納部は、冊子搬送部を介して取得した冊子を集積するものである。
【００７８】
なお、前記した製本ユニットの各種機構部は、一般的に良く知られている周知のハードウェア構成を有している。
【００７９】
電力供給部４４は、コンセントなどの商用電源にプラグなどの差込み器具が接続されることで、商用電源からの電圧を各負荷部に必要な電力に変換して供給する。
【００８０】
図９は、クライアント端末２の機能的構成を説明するためのブロック図である。
【００８１】
図９に示すように、クライアント端末２は、後述の図１４の処理手順を実行するための機能的構成として、製本データ送信部２０１、障害検知部２０２、検索部２０３、一覧表示部２０４、エラー通知部２０５、選択通知部２０６および表紙セット報知部２０７を含む製本指示処理部２００を有している。
【００８２】
なお、この製本指示処理部２００は、ＣＰＵ２０がＨＤＤ２３に記憶されている処理プログラムＰ１を、ＲＡＭ２２上に展開して実行することにより実現されるものである。
【００８３】
製本データ送信部２０１は、クライアント端末２または他の情報処理装置（不図示）で作成された製本データを画像形成装置３に送信する。
【００８４】
障害検知部２０２は、画像形成装置３から送信される障害通知信号を受信することにより、画像形成装置３において製本装置４の所定位置Ｐに表示部分となる記録用紙を供給できないジャムなどの障害が発生したことを検知し、検索部２０３に障害を検知した旨を通知する。
【００８５】
検索部２０３は、障害検知部２０２から通知があった場合に、ネットワークＮ上の子機である複数の画像形成装置５Ａ、・・・、画像形成装置５Ｍの中から、画像形成装置３の代わりに表紙部分の代理印刷することが可能な用紙トレイ、即ち、ユーザにより表紙部分の記録用紙として指定された種別の記録用紙を収容する用紙トレイを有している画像形成装置５を検索する。
【００８６】
より具体的には、検索部２０３は、一定時間経過毎などの所定のタイミングで、各画像形成装置５から、各画像形成装置５が有する用紙トレイ５１に関するトレイ情報（即ち、収納している記録用紙の種別情報などを含む）を取得し、該取得したトレイ情報に該当する画像形成装置５の識別情報（ＩＤ）を対応付けたトレイ情報登録テーブル（不図示）などを、ＲＯＭやＲＡＭなどの記憶手段で保持させる。
【００８７】
そして、検索部２０３は、障害検知部２０２から通知があった場合に、クライアント端末２から受信した製本データに含まれるジョブ情報から、表紙部分として指定された記録用紙の種別情報を取得し、該取得した種別情報と前記トレイ情報登録テーブル（不図示）とを用いて、表紙部分として指定された記録用紙と同一の記録用紙（例えば、サイズ、秤量、材質など全ての条件が一致する記録用紙）または略同一の記録用紙（例えば、サイズ、秤量、材質などの各種条件のうち少なくとも一つが一致する記録用紙）を収納する用紙トレイを有している画像形成装置５の識別情報を抽出し、一覧表示部２０４に出力する。なお、検索部２０３は、該当する画像形成装置５が抽出できなかった場合には、エラーである旨を通知するエラー信号を、エラー通知部２０５に出力する。
【００８８】
一覧表示部２０４は、検索部２０３から入力した識別情報に基づき、図３に示すトレイ一覧表示画面Ｓ１を表示部２７に表示する。また、一覧表示部２０４は、ユーザにより選択された画像形成装置５の識別情報を選択通知部２０６に出力するとともに、キャンセルボタンアイコンが押下された場合に、エラーである旨を通知するエラー信号を、エラー通知部２０５に出力する。
【００８９】
エラー通知部２０５は、検索部２０３または一覧表示部２０４からエラー信号を入力した場合に、エラー表示を指示するためのエラー通知信号を、画像形成装置３に送信する。
【００９０】
選択通知部２０６は、一覧表示部２０４から識別情報を受信した場合に、当該識別情報を含み、その識別情報で特定される画像形成装置５に表紙部分の代理印刷を指示させるための選択通知信号を、画像形成装置３に送信する。
【００９１】
表紙セット報知部２０７は、表紙部分の代理印刷を行った画像形成装置５から表紙部分の印刷終了を通知する終了通知信号を受信した場合に、図４に示す表紙セット促し画面Ｓ２を表示部２７に表示させる。
【００９２】
図１０は、親機である画像形成装置３の機能的構成を説明するためのブロック図である。
【００９３】
図１０に示すように、画像形成装置３は、後述の図１５および図１６の処理手順を実行するための機能的構成として、製本データ受信部３０１、本体印刷部３０２、本体供給部３０３、表紙印刷部３０４、表紙供給部３０５、障害検出部３０６、障害通知部３０７、障害発生報知部３０８、表紙データ作成／送信部３０９、表紙セット報知部３１０および再開指示部３１１を含む印刷処理部３００を有している。
【００９４】
なお、この印刷処理部３００は、制御部３１のＣＰＵが、ＲＯＭに記憶されている処理プログラムＰ２を、ＲＡＭ上に展開して実行することにより実現されるものである。
【００９５】
製本データ受信部３０１は、クライアント端末２から送信される製本データを受信する。
【００９６】
本体印刷部３０２は、製本データ受信部３０１で受信した製本データのジョブ情報に基づき、本体部分への使用が指定された記録用紙（第１の記録媒体）を収容する用紙トレイ（用紙収容部）（不図示）から、記録用紙（第１の記録媒体）を送り出して印字ヘッドなどの印字手段（不図示）が印字を実行する印字箇所に搬送するとともに、その搬送した記録用紙（第１の記録媒体）に印字手段を用いて本体部分の画像を印刷する印刷処理を行う。
【００９７】
本体供給部３０３は、本体印刷部３０２で画像が印刷された記録用紙（第１の記録媒体）を、製本装置４の所定位置（不図示）に供給する。
【００９８】
表紙印刷部３０４は、製本データ受信部３０１で受信した製本データのジョブ情報に基づき、表紙部分への使用が指定された記録用紙（第２の記録媒体）を収容する用紙トレイ（用紙収容部）３１から、記録用紙（第２の記録媒体）を送り出して印字ヘッドなどの印字手段（不図示）が印字を実行する印字箇所に搬送するとともに、その搬送した記録用紙（第２の記録媒体）に印字手段を用いて表紙部分の画像を印刷する印刷処理を行う。
【００９９】
表紙供給部３０５は、表紙印刷部３０４で画像が印刷された記録用紙（第２の記録媒体）を、製本装置４の所定位置Ｐ（図１参照）に供給する。
【０１００】
障害検出部３０６は、表紙部分の印刷処理中に、製本装置４の所定位置Ｐに表紙部分となる記録用紙（第２の記録媒体）を供給することのできないジャムなどの障害が発生したことを検出するものであり、障害の発生を検出した場合に、障害が発生した旨を通知する発生信号を障害通知部３０５に出力する。
【０１０１】
障害通知部３０７は、障害検出部３０５から発生信号を入力した場合に、クライアント端末２および製本装置４に対して障害が発生した旨を通知する障害通知信号を送信する。
【０１０２】
障害発生報知部３０８は、クライアント端末２からエラー通知信号を受信した場合に、エラー表示画面Ｓ３（図６参照）を操作表示部３２に表示させる。
【０１０３】
表紙データ作成／送信部３０９は、クライアント端末２から選択通知信号を受信した場合に、製本データを表紙データと本体データとに分離し、分離した表紙データを選択通知信号で特定される画像形成装置５に送信する。
【０１０４】
表紙セット報知部３１０は、表紙部分の代理印刷を行う画像形成装置５から表紙部分の印刷終了を通知する終了通知信号を受信した場合に、表紙セット促し／再開指示画面Ｓ４（図７参照）を操作表示部３２に表示させる。
【０１０５】
再開指示部３１１は、表紙セット促し／再開指示画面Ｓ４の表紙給紙ボタンアイコンが選択操作された場合に、製本装置４に対して製本処理の再開を指示する再開指示信号を送信する。
【０１０６】
図１１は、製本装置４の機能的構成を説明するためのブロック図である。
【０１０７】
図１１に示すように、製本装置４は、後述の図１７の処理手順を実行するための機能的構成として、再開指示受信部４０１および製本実行部４０２を含む製本処理部４００を有している。
【０１０８】
なお、この製本処理部４００は、制御部４１のＣＰＵが、ＲＯＭに記憶されている処理プログラムＰ３を、ＲＡＭ上に展開して実行することにより実現されるものである。
【０１０９】
再開指示受信部４０１は、画像形成装置３から製本の再開を指示する再開指示信号を受信し、製本実行部４０２に出力する。
【０１１０】
製本実行部４０２は、画像形成装置３から製本開始信号を入力した場合や、再開指示受信部４０１から再開指示信号を入力した場合に、画像形成装置３から供給された本体部分の記録用紙を１冊分の記録用紙束として集積（スタック）し、集積した記録用紙束に、所定位置に供給されている表紙部分となる記録用紙を、糊付けなどの所定の処理により接合することにより、冊子状に製本する製本処理を実行する。
【０１１１】
図１２は、子機である画像形成装置５の機能的構成を説明するためのブロック図である。
【０１１２】
図１２に示すように、画像形成装置５は、後述の図１８の処理手順を実行するための機能的構成として、表紙データ受信部５０１、表紙印刷部５０２および印刷終了通知部５０３を含む代理印刷処理部５００を有している。
【０１１３】
なお、この代理印刷処理部５００は、画像形成装置５の制御部（不図示）のＣＰＵ（不図示）が、ＲＯＭ（不図示）に記憶されている処理プログラム（不図示）を、ＲＡＭ（不図示）上に展開して実行することにより実現されるものである。
【０１１４】
表紙データ受信部５０１は、画像形成装置３から表紙データを受信する。
【０１１５】
表紙印刷部５０２は、表紙データ受信部５０１で受信した表紙データに基づいて、表紙部分の画像を記録用紙に印刷する、即ち、表紙部分の代理印刷を実行する。
【０１１６】
印刷終了通知部５０３は、表紙印刷部５０２による表紙部分の代理印刷が終了した場合に、クライアント端末２および画像形成装置３に対して表紙部分の印刷が終了した旨を通知する終了通知信号を送信する。
【０１１７】
次に、前記説明した構成の製本システム１における各種処理動作について説明する。
【０１１８】
図１３は、クライアント端末２から画像形成装置３に製本データが送信された場合の、製本システム１における概略的な処理の流れを説明するためのシーケンス図であり、特に、この場合、画像形成装置３で表紙部分が印刷できないジャムなどの障害が発生した場合の処理の流れを示している。
【０１１９】
図１３に示すように、このシーケンスでは、まず、ユーザ操作に基づいてクライアント端末２が、製本データを作成し、該作成した製本データを画像形成装置３に送信する（ステップＳ１）。
【０１２０】
続いて、製本データを受信した画像形成装置３が、本体部分の画像を記録用紙に印刷し、画像が印刷された記録用紙（本体部分）を製本装置４に供給する（ステップＳ２）。
【０１２１】
製本装置４では、画像形成装置３から供給される記録用紙を束状に集積（スタック）する（ステップＳ３）。
【０１２２】
そして、製本装置４において、１冊分の記録用紙（本体部分）が束状に集積された後、画像形成装置３が、表紙部分の画像を記録用紙に印刷し、画像が印刷された記録用紙（表紙部分）を製本装置４に供給する（ステップＳ４）。
【０１２３】
ここで、ステップＳ４の処理中に、表紙部分が印刷できないジャムなどの障害が発生したとすると、画像形成装置３が、クライアント端末２および製本装置４に対して障害発生を通知する（ステップＳ５）。これにより、障害発生の通知を受けた製本装置４では、製本処理を一時停止する。
【０１２４】
一方、障害発生の通知を受けたクライアント端末２では、ネットワークＮ上で表紙部分の代理印刷が可能な他の画像形成装置５を検索し（ステップＳ６）、検索の結果およびユーザ操作に応じて画像形成装置３にエラー通知または選択通知を行う。
【０１２５】
続いて、エラー通知または選択通知を受けた画像形成装置３が、障害発生を報知したり、表紙データを表紙部分の代理印刷を行う他の画像形成装置５に送信したりする（ステップＳ７）。
【０１２６】
続いて、表紙データを受信した他の画像形成装置５が、表紙部分の代理印刷を実行し（ステップＳ８）、表紙部分の印刷が終了した場合に、クライアント端末２および画像形成装置３に表紙部分の印刷終了通知を行う。
【０１２７】
続いて、クライアント端末２が、他の画像形成装置５からの印刷終了通知を受けた場合に、表紙セット促し画面Ｓ２（図４参照）を表示部２７に表示させ（ステップＳ９）、他方、画像形成装置３が、表紙セット促し／再開指示画面Ｓ４（図７参照）を操作表示部３２に表示させる（ステップＳ１０）。
【０１２８】
その後、ユーザによって、製本装置４の手差しトレイ４１に他の画像形成装置５で代理印刷された表紙部分となる記録用紙がセットされ、表紙セット促し／再開指示画面Ｓ４の表紙給紙ボタンアイコンが選択操作されると、画像形成装置３が、製本装置４に対して製本印刷の再開指示を行う（ステップＳ１１）。これにより、再開指示を受けた製本装置４が、製本処理を再開する（ステップＳ１２）。
【０１２９】
図１４は、クライアント端末２の製本指示処理部２００で実行される処理手順を説明するためのフローチャートであって、図１３のシーケンスにおけるクライアント端末２の処理の詳細を説明するためのフローチャートでもある。
【０１３０】
図１４に示すように、クライアント端末２では、まず、ステップＳ１０１において、製本データ送信部２０１が、ユーザ操作に基づいて作成した製本データを画像形成装置３に送信する。
【０１３１】
続いて、製本指示処理部２００では、ステップＳ１０２およびステップＳ１０３において、画像形成装置３から、障害通知信号、または、印刷が正常に終了した旨を示す正常終了通知信号のいずれかの受信を待機する。
【０１３２】
ここで、障害検知部２０２が、画像形成装置３から障害通知信号を受信すると（ステップＳ１０２：Ｙｅｓ）、続いて、ステップＳ１０４において、検索部２０３が、ネットワークＮに接続された複数の画像形成装置５Ａ、・・・、画像形成装置５Ｍの中から、ユーザにより指定された種別の記録用紙を用いて表紙部分の代理印刷が可能な画像形成装置５を検索する。
【０１３３】
この検索の結果、表紙部分の代理印刷が可能な画像形成装置５が存在する場合には（ステップＳ１０５：Ｙｅｓ）、続いて、ステップＳ１０６において、一覧表示部２０４が、該当する画像形成装置５の一覧を表示するトレイ一覧表示画面Ｓ１（図３参照）を表示部２７に表示させる。
【０１３４】
ここで、ユーザにより、トレイ一覧表示画面Ｓ１（図３参照）の一覧表示の中からいずれかの画像形成装置５が選択された場合には（ステップＳ１０７：Ｙｅｓ）、続いて、ステップＳ１０８において、選択通知部２０６が、ユーザにより選択された画像形成装置５を画像形成装置３に通知する選択通知信号を画像形成装置３に送信する。
【０１３５】
続いて、ステップＳ１０９において、製本指示処理部２００が、前記選択された画像形成装置５から、表紙部分の代理印刷が終了した旨を通知する終了通知信号を受信するのを待機する。
【０１３６】
ここで、終了通知信号を受信すると（ステップＳ１０９：Ｙｅｓ）、続いて、ステップＳ１１０において、表紙セット報知部２０７は、表紙セット促し画面Ｓ２（図４参照）を表示部２７に表示させて、ここでの処理を終了する。
【０１３７】
一方、ステップＳ１０２およびステップＳ１０３の待機処理において、製本指示処理部２００が、画像形成装置３から正常終了の通知信号を受信すると（ステップＳ１０３：Ｙｅｓ）、ここでの処理を終了する。
【０１３８】
また、一方、ステップＳ１０４の検索処理において、表紙部分の代理印刷が可能な画像形成装置５が検出できなかった場合（ステップＳ１０５：Ｎｏ）、および、ステップＳ１０６の処理において、ユーザが、トレイ一覧表示画面Ｓ１（図３参照）の一覧表示の中から画像形成装置５を選択しなかった場合には（ステップＳ１０７：Ｎｏ）、続いて、ステップＳ１１１において、エラー通知部２０５が、画像形成装置３にエラー通知信号を送信し、その後、ここでの処理を終了する。
【０１３９】
図１５および図１６は、画像形成装置３の印刷処理部３００で実行される処理手順を説明するためのフローチャートであり、図１５が、ジャムなどの障害が発生しない通常状態における画像形成装置３の処理手順を示し、図１６は、図１５の処理手順の表紙部分の印刷処理中に、製本装置４の所定位置Ｐに表紙部分となる記録用紙を供給できないジャムなどの障害が発生した場合の画像形成装置３の処理手順、即ち、図１３のシーケンスにおける画像形成装置３の処理手順を示している。
【０１４０】
図１５に示すように、画像形成装置３の印刷処理部３００では、製本データ受信部３０１が、クライアント端末２からの製本データの受信を待機しており（ステップＳ２０１）、ここで、製本データ受信部３０１が、製本データを受信すると（ステップＳ２０１：Ｙｅｓ）、続いて、本体印刷部３０２が、本体部分の画像を記録用紙に印刷する処理を実行し（ステップＳ２０２）、本体供給部３０３が、画像が印刷された本体部分を構成する記録用紙を製本装置４に供給する（ステップＳ２０３）。
【０１４１】
そして、ステップＳ２０２およびステップＳ２０３の処理により、本体部分となる全ての記録用紙、即ち、１冊分の記録用紙が製本装置４に集積（スタック）されると、続いて、表紙印刷部３０４が、表紙部分の画像を記録用紙に印刷する処理を実行し（ステップＳ２０４）、表紙供給部３０５が、画像が印刷された表紙部分となる記録用紙を製本装置４に供給する（ステップＳ２０５）。
【０１４２】
一方、図１６に示すように、障害検出部３０６が、図１５のステップＳ２０４の表紙部分の印刷処理中に、製本装置４の所定位置Ｐに表紙部分となる記録用紙を供給できないジャムなどの障害の発生を検出すると（ステップＳ３０１：Ｙｅｓ）、続いて、ステップＳ３０２において、障害通知部３０７が、クライアント端末２および製本装置４に障害が発生したことを通知する障害発生通知信号を送信する。
【０１４３】
その後、ステップＳ３０３およびステップＳ３０４において、印刷処理部３００では、クライアント端末２から、エラー通知信号または選択通知信号のいずれかの受信を待機する。
【０１４４】
この待機処理において、印刷処理部３００がエラー通知信号を受信すると（ステップＳ３０３：Ｙｅｓ）、続いて、ステップＳ３０４において、障害発生報知部３０８が、操作表示部３２でエラー表示画面Ｓ３（図６参照）を表示し、ここでの処理を終了する。
【０１４５】
一方、前記待機処理において、クライアント端末２から、選択通知信号を受信すると（ステップＳ３０５：Ｙｅｓ）、続いて、ステップＳ３０６およびステップＳ３０７において、表紙データ作成／送信部３０９が、表紙データを作成し、選択通知信号に含まれる識別情報で特定される画像形成装置５に対して表紙データを送信する。
【０１４６】
続いて、ステップＳ３０８において、印刷処理部３００は、表紙部分の代理印刷を行う画像形成装置５からの表紙部分の印刷終了を通知する終了通知信号の受信を待機する。
【０１４７】
この待機処理において、印刷処理部３００が終了通知信号を受信すると（ステップＳ３０８：Ｙｅｓ）、続いて、ステップＳ３０９において、表紙セット報知部３１０が、操作表示部３２で表紙セット促し／再開指示画面Ｓ４（図７参照）を表示する。
【０１４８】
これにより、ユーザが、表紙セット促し／再開指示画面Ｓ４の表紙給紙ボタンアイコンを選択操作すると（ステップＳ３１０：Ｙｅｓ）、続いて、ステップＳ３１１において、再開指示部３１１が、製本装置４に対して製本処理の再開を指示する再開指示信号を送信し、ここでの処理を終了する。
【０１４９】
図１７は、製本装置４の製本処理部４００で実行される処理手順を説明するためのフローチャートであり、図１３のシーケンスにおける製本装置４の処理の詳細を説明するためのフローチャートでもある。
【０１５０】
図１７に示すように、製本装置４の製本処理部４００は、まず、ステップＳ４０１において、画像形成装置３から供給された本体部分となる複数の記録用紙を束状に集積（スタック）し、１冊分の記録用紙のスタックが完了すると、続いて、ステップＳ４０２およびステップＳ４０３において、製本処理部４００が、表紙部分の供給が行われるか、または、画像形成装置３から障害発生通知信号を受信するかを待機する。
【０１５１】
その待機処理において、製本処理部４００が、障害通知信号を受信することなく、表紙部分の供給が行われたことを検知すると（ステップＳ４０２：Ｙｅｓ）、続いて、ステップＳ４０４において、製本実行部４０２が、本体部分となる記録用紙束に、表紙部分となる記録用紙を結合するなどの所定の製本処理を実行し、製本処理が完了した後、ここでの処理を終了する。
【０１５２】
一方、前記待機処理において、製本処理部４００が、障害通知信号を受信すると（ステップＳ４０３：Ｙｅｓ）、続いて、ステップＳ４０５およびステップＳ４０６において、製本処理部４００は、製本処理を一時停止し、画像形成装置３からの製本処理の再開を指示する再開指示信号の受信を待機する。
【０１５３】
その待機処理において、製本処理部４００が、再開指示信号を受信すると（ステップＳ４０６：Ｙｅｓ）、処理を、ステップＳ４０４に移行させて、製本処理を再開し、製本処理が完了すると、ここでの処理を終了する。
【０１５４】
図１８は、表紙部分の代理印刷を行う画像形成装置５の代理印刷処理部５００で実行される処理手順を説明するためのフローチャートであり、この場合、図１３のシーケンスにおける画像形成装置５の処理の詳細を説明するためのフローチャートでもある。
【０１５５】
図１８に示すように、表紙部分の代理印刷を行う画像形成装置５では、まず、ステップＳ５０１において、表紙データ受信部５０１が、画像形成装置３から表紙データを受信すると（ステップＳ５０１：Ｙｅｓ）、続いて、ステップＳ５０２において、表紙印刷部５０２が、表紙部分の代理印刷を実行する。
【０１５６】
その後、表紙部分の代理印刷が終了すると（ステップＳ５０３：Ｙｅｓ）、続いて、ステップＳ５０４において、印刷終了通知部５０３が、表紙部分の印刷が終了したことを通知する終了通知信号をクライアント端末２および画像形成装置３に送信し、ここでの処理を終了する。
【０１５７】
次に、前記した実施形態の変形形態について図１９〜図２１を用いて説明する。
【０１５８】
前記した実施形態では、画像形成装置３から、表紙部分の代理印刷を行う画像形成装置５に表紙データを送信する形態について説明したが、以下では、クライアント端末２から画像形成装置５に表紙データを送信する変形形態について説明する。
【０１５９】
図１９は、図９に示すクライアント端末２の機能的構成の変形形態を説明するためのブロック図である。
【０１６０】
なお、図１９に示す製本指示処理部２００Ａは、図９に示すクライアント端末２の機能的構成である製本指示処理部２００に、表紙データ作成／送信部２０８を新たに設けた構成となっている。なお、表紙データ作成／送信部２０８以外のその他の構成については、図９のものと略同様の処理を行うため、ここでの説明は省略するものとする。
【０１６１】
即ち、この表紙データ作成／送信部２０８は、一覧表示部２０４により、操作表示部３２で表示されるトレイ一覧表示画面Ｓ１（図３参照）において、ユーザが表紙部分の代理印刷を行う画像形成装置５を選択指定した場合に、表紙データを作成し、該作成した表紙データを指定された画像形成装置５に送信する。
【０１６２】
なお、変形形態の処理を実行するための画像形成装置３の機能的構成は、図１０の印刷処理部３００の表紙データ作成／送信部３０９を省略することにより実現できるため、ここでは図示および説明を省略するものとする。
【０１６３】
図２０は、図１３に示すシーケンスの変形形態を説明するためのシーケンス図である。
【０１６４】
図２０に示すシーケンスにおいて、図１３に示すシーケンスと異なる点は、図１３に示すステップＳ６の処理が、ステップＳ６Ａの処理に変更され、同じく図１３に示すステップＳ７の処理が、ステップＳ７Ａの処理に変更された点であり、それ以外は同様の処理を行うため、ここでは、同一の処理については説明を省略するものとする。
【０１６５】
即ち、図２０に示すように、クライアント端末２は、画像形成装置３から障害発生の通知を受けた場合、ステップＳ６Ａにおいて、表紙部分の代理印刷が可能な他の画像形成装置５を検索するとともに、表紙データ作成／送信部２０８が作成した表紙データを、他の画像形成装置５に送信し、画像形成装置３は、クライアント端末２からエラー通知信号または選択通知信号を受信した場合、ステップＳ７Ａにおいて、障害発生の報知を行うものの、図１３で説明したような表紙データの送信などによる表紙部分の代理印刷を依頼する処理は実行しない。
【０１６６】
図２１は、図１４に示すフローチャートの変形形態を説明するためのフローチャートである。
【０１６７】
図２１に示すフローチャートでは、図１４に示すフローチャートと異なる点は、図１４のステップＳ１０８の処理とステップＳ１０９の処理との間に、ステップＳ１１２の処理を追加した点であり、その他の処理は同一であるため、ここでは、同一の処理については説明を省略するものとする。
【０１６８】
即ち、図２１に示す処理手順では、ステップＳ１０８の処理後のステップＳ１１２において、表紙データ作成／送信部２０８が、表紙データを作成し、作成した表紙データを表紙部分の代理印刷を行う画像形成装置５に送信するようになっている。
【０１６９】
なお、前記した変形形態においては、画像形成装置３は、図１６のフローチャートにおけるステップＳ３０６およびステップＳ３０７の処理を省略した処理手順を実行することで対応することができるので、ここでは図示および説明を省略するものとする。
【０１７０】
即ち、前記した実施形態によれば、製本装置４に連結された画像形成装置３において、製本装置４の所定位置Ｐに表紙部分となる記録用紙を供給できない障害が発生した場合に、ネットワークＮ上で表紙部分の代理印刷が可能な他の画像形成装置５を検索し、検索された他の画像形成装置５に表紙部分の代理印刷を行わせるとともに、その他の画像形成装置５で印刷された表紙部分となる記録用紙を、製本装置４の手差しトレイ４１にセットして製本処理を再開するように構成したため、製本システム１における製本処理のダウンタイムを抑制または防止し、従来技術に比べより製本物の生産性が低下するのを抑制または防止することができる。
【０１７１】
以上、例示的な実施形態に基づいて説明したが、本実施形態は、前記した実施形態により限定されるものではない。
【０１７２】
例えば、前記した実施形態では、クライアント端末２が一台のみである場合について説明したが、これに限定されず、複数のクライアント端末２を備える製本システム１とすることも可能である。
【０１７３】
また、前記した実施形態では、他の画像形成装置５は、製本装置４が連結されていない画像形成装置５の場合について説明したが、これに限定されず、他の製本装置が連結されている画像形成装置５とすることも可能である。
【０１７４】
また、前記した実施形態では、本体部分となる記録用紙束に、表紙部分となる記録用紙を接合するような製本処理を実行する製本装置４の場合について説明したが、これ以外にも、例えば、複数の記録用紙束の所定箇所に、結合部分となる他の記録用紙を挿入するような製本処理を実行する製本装置４とすることも可能である。
【０１７５】
また、前記した実施形態では、糊付けなどの処理により製本物を生産するくるみ製本処理を実行する製本装置４の場合について説明したが、これに限定されず、他の製本処理を実行する製本装置４とすることも可能であり、製本処理の種類は問わないものとする。具体的には、例えば、ステープル綴じなどの製本処理を実行する製本装置４とすることも可能である。
【０１７６】
また、前記した実施形態では、画像形成装置３における障害として、表紙部分の印刷処理中におけるジャムの場合を例にして説明したが、これ以外にも、例えば、表紙部分に指定された記録用紙が存在しない状況を、製本装置４の所定位置Ｐに表紙部分を供給できない障害として検出するような形態とすることも可能である。
【０１７７】
また、前記した実施形態では、画像形成装置３以外にも、クライアント端末２においても表紙セットを促すための画面（表紙セット促し画面Ｓ２）を表示する形態について説明したが、これ以外にも、例えば、クライアント端末２では、表紙セットを促すための画面を表示しないように構成することも可能である。
【０１７８】
また、前記した実施形態では、画像形成装置３で製本装置４の製本処理の再開を指示することができる形態について説明したが、これ以外にも、クライアント端末２において製本処理の再開を指示することができるように構成することも可能である。
【０１７９】
また、前記した実施形態では、説明を簡略化するために、一つの印刷ジョブで、印刷部数が一部、即ち、一冊の製本物を生産する場合について説明したが、これに限定されず、
一つの印刷ジョブで、印刷部数が複数、即ち、複数冊の製本物を生産する場合にも対応することが可能である。
【０１８０】
また、前記した実施形態では、紙などの記録用紙に画像を印刷する印刷装置としての画像形成装置３を利用する形態について説明したが、これに限定されず、記録用紙などの記録媒体に画像を形成することが可能な画像形成装置であれば種類は問わないものとする。
【０１８１】
また、前記した実施形態では、画像形成装置３と製本装置４とが別体である場合について説明したが、これに限定されず、画像形成装置３と製本装置４とを一体的に構成する、即ち、画像形成装置３のハードウェア構成および機能的構成を有する画像形成装置（画像形成部）と、製本装置４のハードウェア構成および機能的構成を有する製本装置（製本部）とを、一つの筐体内に収容して実現するような形態とすることも可能である。
【０１８２】
また、前記した実施形態のクライアント端末２、画像形成装置３、製本装置４および画像形成装置５で実行される各種プログラムは、インストール可能な形式または実行可能な形式のファイルでコンピュータで読み取り可能な記録媒体に記録して提供するように構成してもよいし、インターネットなどのネットワーク経由で提供または配布するように構成しても良い。
【０１８３】
その他、前記した実施形態におけるシステム構成、各装置のハードウェア構成および機能的構成、表示画面の構成、処理手順などは、単なる例として記載したものであり、本実施形態は、これらにより限定されない。
【符号の説明】
【０１８４】
１  製本システム（画像形成システム）
２  クライアント端末（情報処理装置）
３  画像形成装置（第1の画像形成装置）
４  製本装置（製本部）
５  画像形成装置（他の画像形成装置、第２の画像形成装置）
２００  製本指示処理部
２０１  製本データ送信部
２０２  障害検知部（障害検知手段）
２０３  検索部（検索手段）
２０４  一覧表示部（選択手段）
２０５  エラー通知部
２０６  選択通知部
２０７  表紙セット報知部
２０８  表紙データ作成／送信部（送信手段）
３００  印刷処理部
３０１  製本データ受信部
３０２  本体印刷部（画像形成手段）
３０３  本体供給部（供給手段）
３０４  表紙印刷部（画像形成手段）
３０５  表紙供給部（供給手段）
３０６  障害検出部（障害検出手段）
３０７  障害通知部（障害通知手段）
３０８  障害発生報知部
３０９  表紙データ作成／送信部（送信手段）
３１０  表紙セット報知部
３１１  再開指示部（再開指示手段）
４００  製本処理部（製本処理手段）
４０１  再開指示受信部
４０２  製本実行部
５００  代理印刷処理部
５０１  表紙データ受信部
５０２  表紙印刷部
５０３  印刷終了通知部
３１、５１  用紙トレイ（媒体収容部）
４１  手差しトレイ（媒体収容部）
Ｐ  所定位置
【先行技術文献】
【特許文献】
【０１８５】
【特許文献１】特開２０１０−０４９１７１号公報
【図１】
0005671904.tif 000002
【図２】
0005671904.tif 000003
【図３】
0005671904.tif 000004
【図４】
0005671904.tif 000005
【図５】
0005671904.tif 000006
【図６】
0005671904.tif 000007
【図７】
0005671904.tif 000008
【図８】
0005671904.tif 000009
【図９】
0005671904.tif 000010
【図１０】
0005671904.tif 000011
【図１１】
0005671904.tif 000012
【図１２】
0005671904.tif 000013
【図１３】
0005671904.tif 000014
【図１４】
0005671904.tif 000015
【図１５】
0005671904.tif 000016
【図１６】
0005671904.tif 000017
【図１７】
0005671904.tif 000018
【図１８】
0005671904.tif 000019
【図１９】
0005671904.tif 000020
【図２０】
0005671904.tif 000021
【図２１】
0005671904.tif 000022